(57)【要約】【課題】ゴム材の表面の清掃（消毒）作業を容易に行わせることができるとともに、部品点数を削減して製造コストの低減及び管理の容易化を図ることができるゴムボタンを提供する。【解決手段】血液回路に接続され、スリット１ａが形成されたゴム材１を有するとともに、ゴム材１のスリット１ａに挿通可能なコネクタ４が先端に形成されて当該コネクタ４をスリット１ａに挿通させて血液回路を流れる流体を採取或いは別個の流体を当該血液回路に注入し得る接続ライン３を接続可能とされたゴムボタンにおいて、ゴム材１の上部を筒状に覆った閉塞状態と当該ゴム材１の上部を開放した開放状態とで任意切り換え可能とされるとともに、当該閉塞状態でスリット１ａに挿通したコネクタ４を係止して抜け止め可能とされた接続部２ａ、２ｂを具備したものである。【選択図】図１４
2012254204.tif 000002
【特許請求の範囲】
【請求項１】
流体の流通ラインに接続され、当該流通ライン内と連通可能なスリットが形成されたゴム材を有するとともに、当該ゴム材のスリットに挿通可能なコネクタが先端に形成されて当該コネクタをスリットに挿通させて当該流通ラインを流れる流体を採取或いは別個の流体を当該流通ラインに注入し得る接続ラインを接続可能とされたゴムボタンにおいて、
前記ゴム材の上部を筒状に覆った閉塞状態と当該ゴム材の上部を開放した開放状態とで任意切り換え可能とされるとともに、当該閉塞状態で前記スリットに挿通した前記コネクタを係止して抜け止め可能とされた接続部を具備したことを特徴とするゴムボタン。
【請求項２】
前記接続部は、筐体を構成するケース部材に一体成形され、前記閉塞状態と開放状態とで切り換え可能とされたことを特徴とする請求項１記載のゴムボタン。
【請求項３】
前記接続部は、筐体を構成するケース部材とは別体として形成されるとともに、当該ケース部材に連結されて前記閉塞状態と開放状態とで切り換え可能とされたことを特徴とする請求項１記載のゴムボタン。
【請求項４】
前記接続ラインの先端部には、前記閉塞状態の接続部を覆い得るとともに内周面に雌ネジ部が形成されたロック手段が取り付けられるとともに、前記接続部には、外周面に前記雌ネジ部と螺合し得る雄ネジ部が形成され、当該雌ネジ部と雄ネジ部との螺合により前記接続部がロックされて当該接続部の閉塞状態が保持されることを特徴とする請求項１〜３の何れか１つに記載のゴムボタン。
【請求項５】
前記コネクタには、外方に突出して前記ロック手段の抜け止めを図るためのストッパ部が形成されるとともに、前記接続部には、当該ストッパ部と係止可能な係止部が形成されたことを特徴とする請求項４記載のゴムボタン。
【請求項６】
前記接続部は、筒状部材を半割りにした２つの部位で構成され、当該２つの部位は、互いを合致させることにより前記閉塞状態となる位置と、互いを離間させて前記開放状態となる位置との間で揺動自在に前記ケース部材に接続されて成ることを特徴とする請求項２〜５の何れか１つに記載のゴムボタン。
【請求項７】
前記流通ラインは、患者の血液を体外循環させつつ浄化するための血液回路から成ることを特徴とする請求項１〜６の何れか１つに記載のゴムボタン。
【発明の詳細な説明】
【技術分野】
【０００１】
本発明は、流体の流通ラインに接続され、当該流通ライン内と連通可能なスリットが形成されたゴム材を有するとともに、当該ゴム材のスリットに挿通可能なコネクタが先端に形成されて当該コネクタをスリットに挿通させて当該流通ラインを流れる流体を採取或いは別個の流体を当該流通ラインに注入し得る接続ラインを接続可能とされたゴムボタンに関するものである。
【背景技術】
【０００２】
透析治療時に使用され、患者の血液を体外循環させる血液回路は、一般に、ダイアライザやドリップチャンバ等の各構成要素間を連結する可撓性チューブから主に構成されており、かかる血液回路の所定の位置には、ゴム材を有するゴムボタンが接続されている。このゴムボタンのゴム材には、血液の流通ラインの内外を連通したスリットが形成されており、かかるスリットに穿刺管やシリンジの先端等を挿通し、血液回路を流れる血液を採取したり、或いは当該血液回路中に薬剤又は生理食塩水を注入し得るよう構成されている。
【０００３】
ところで、例えば投与すべき薬剤の量や種類によっては、シリンジをゴムボタンに接続するのに代えて、薬剤投与のためのチューブ先端をゴムボタンに接続する場合がある。すなわち、血液回路を流れる血液に対し、少量の薬剤を短時間で注入する場合は、シリンジ等で注入するのが好ましい一方、薬剤を持続的に長時間かけて注入する場合は、シリンジに代えて、薬剤を収容した容器から接続ラインを構成するチューブを延設し、該チューブの先端をゴムボタンに接続することにより、輸液ポンプなどの送液手段を用いて容器内の薬剤を血液回路に一定量ずつ注入することが行われる。
【０００４】
このような接続ラインの先端には、ゴムボタンにおけるゴム材のスリットに挿通可能なコネクタが形成されるとともに、薬剤投与中にコネクタがゴムボタンから外れてしまうのを防止するためのロック手段が取り付けられている。かかるロック手段は、接続ラインの先端に形成されたコネクタとは別途設けられ、内周面に雌ネジ部が形成された部材から成り、該雌ネジ部がゴムボタンに形成された雄ネジ部に螺合して係止可能とされたものである。
【０００５】
このように、スリットが形成されたゴム材を具備するとともに、接続された接続ラインの先端部を係止して抜け止め可能とされた所謂ロック式のゴムボタンとして、従来、ゴム材を保持したキャップに対して圧入にて取付可能とされるとともに、ロック手段の雌ネジ部と螺合可能な雄ネジ部が形成されたハウジングを有したものが提案されている（例えば特許文献１参照）。このハウジングは、ゴムボタンのキャップとは別体とされ、その内部にコネクタと連結可能なフロートを具備するものとされ、当該ゴムボタンから取り外すことにより、ゴム材の表面を外部に臨ませることができるようになっている。
【先行技術文献】
【特許文献】
【０００６】
【特許文献１】特開２００３−３３９８７７号公報
【発明の概要】
【発明が解決しようとする課題】
【０００７】
しかしながら、上記従来のゴムボタンにおいては、ハウジングを取り外すことによりゴム材の表面を外部に臨ませることができ、消毒等の清掃作業を容易に行わせることができるものの、当該ハウジングが別体であるため、部品点数が増加してしまうとともに、ゴムボタン本体とハウジングとをそれぞれ管理する必要があり、特にハウジングが紛失してしまう虞があった。また、従来のゴムボタンにおいては、ハウジング内にフロートを有する構造であるため、当該フロートによっても部品点数が増加してしまい、製造コストが嵩んでしまうという問題もあった。
【０００８】
本発明は、このような事情に鑑みてなされたもので、ゴム材の表面の清掃（消毒）作業を容易に行わせることができるとともに、部品点数を削減して製造コストの低減及び管理の容易化を図ることができるゴムボタンを提供することにある。
【課題を解決するための手段】
【０００９】
請求項１記載の発明は、流体の流通ラインに接続され、当該流通ライン内と連通可能なスリットが形成されたゴム材を有するとともに、当該ゴム材のスリットに挿通可能なコネクタが先端に形成されて当該コネクタをスリットに挿通させて当該流通ラインを流れる流体を採取或いは別個の流体を当該流通ラインに注入し得る接続ラインを接続可能とされたゴムボタンにおいて、前記ゴム材の上部を筒状に覆った閉塞状態と当該ゴム材の上部を開放した開放状態とで任意切り換え可能とされるとともに、当該閉塞状態で前記スリットに挿通した前記コネクタを係止して抜け止め可能とされた接続部を具備したことを特徴とする。
【００１０】
請求項２記載の発明は、請求項１記載のゴムボタンにおいて、前記接続部は、筐体を構成するケース部材に一体成形され、前記閉塞状態と開放状態とで切り換え可能とされたことを特徴とする。
【００１１】
請求項３記載の発明は、請求項１記載のゴムボタンにおいて、前記接続部は、筐体を構成するケース部材とは別体として形成されるとともに、当該ケース部材に連結されて前記閉塞状態と開放状態とで切り換え可能とされたことを特徴とする。
【００１２】
請求項４記載の発明は、請求項１〜３の何れか１つに記載のゴムボタンにおいて、前記接続ラインの先端部には、前記閉塞状態の接続部を覆い得るとともに内周面に雌ネジ部が形成されたロック手段が取り付けられるとともに、前記接続部には、外周面に前記雌ネジ部と螺合し得る雄ネジ部が形成され、当該雌ネジ部と雄ネジ部との螺合により前記接続部がロックされて当該接続部の閉塞状態が保持されることを特徴とする。
【００１３】
請求項５記載の発明は、請求項４記載のゴムボタンにおいて、前記コネクタには、外方に突出して前記ロック手段の抜け止めを図るためのストッパ部が形成されるとともに、前記接続部には、当該ストッパ部と係止可能な係止部が形成されたことを特徴とする。
【００１４】
請求項６記載の発明は、請求項２〜５の何れか１つに記載のゴムボタンにおいて、前記接続部は、筒状部材を半割りにした２つの部位で構成され、当該２つの部位は、互いを合致させることにより前記閉塞状態となる位置と、互いを離間させて前記開放状態となる位置との間で揺動自在に前記ケース部材に接続されて成ることを特徴とする。
【００１５】
請求項７記載の発明は、請求項１〜６の何れか１つに記載のゴムボタンにおいて、前記流通ラインは、患者の血液を体外循環させつつ浄化するための血液回路から成ることを特徴とする。
【発明の効果】
【００１６】
請求項１の発明によれば、ゴム材の上部を筒状に覆った閉塞状態と当該ゴム材の上部を開放した開放状態とで任意切り換え可能とされるとともに、当該閉塞状態でスリットに挿通したコネクタを係止して抜け止め可能とされた接続部を具備したので、ゴム材の表面の清掃（消毒）作業を容易に行わせることができるとともに、部品点数を削減して製造コストの低減及び管理の容易化を図ることができる。
【００１７】
請求項２の発明によれば、接続部は、筐体を構成するケース部材に一体成形され、閉塞状態と開放状態とで切り換え可能とされたので、筐体部と接続部とを別個製造するものに比べ、製造工程を削減することができ、製造コストをより低減させることができる。
【００１８】
請求項３の発明によれば、接続部は、筐体を構成するケース部材とは別体として形成されるとともに、当該ケース部材に連結されて閉塞状態と開放状態とで切り換え可能とされたので、筐体部と接続部との連結状態を種々設定することができ、接続部の閉塞状態と開放状態との切り換えをより円滑に行わせるよう設定することができる。
【００１９】
請求項４の発明によれば、接続ラインの先端部には、閉塞状態の接続部を覆い得るとともに内周面に雌ネジ部が形成されたロック手段が取り付けられるとともに、接続部には、外周面に雌ネジ部と螺合し得る雄ネジ部が形成され、当該雌ネジ部と雄ネジ部との螺合により接続部がロックされて当該接続部の閉塞状態が保持されるので、より強固に接続部の閉塞状態を保持でき、且つ、コネクタを係止することができる。
【００２０】
請求項５の発明によれば、コネクタには、外方に突出して前記ロック手段の抜け止めを図るためのストッパ部が形成されるとともに、接続部には、当該ストッパ部と係止可能な係止部が形成されたので、当該ストッパ部材が、ロック手段の抜け止め機能と接続部に対するコネクタの係止機能とを兼ね備えることができる。
【００２１】
請求項６の発明によれば、接続部は、筒状部材を半割りにした２つの部位で構成され、当該２つの部位は、互いを合致させることにより閉塞状態となる位置と、互いを離間させて開放状態となる位置との間で揺動自在にケース部材に接続されて成るので、接続部を備えたゴムボタンの構成を簡素化することができる。
【００２２】
請求項７の発明によれば、流通ラインは、患者の血液を体外循環させつつ浄化するための血液回路から成ることから、一般に種々の採血作業や薬剤注入作業がなされる血液回路に本ゴムボタンを接続したので、ゴム材の表面の清掃（消毒）作業を容易に行わせることにより複数回に分けて採血作業や薬剤注入作業が可能になる。
【図面の簡単な説明】
【００２３】
【図１】本発明の第１の実施形態に係るゴムボタン（接続部が閉塞状態）を示す正面図
【図２】同ゴムボタン（接続部が閉塞状態）を示す側面図
【図３】同ゴムボタンにおける接続部が閉塞状態とされた第１ケース部材を示す斜視図
【図４】同ゴムボタン（接続部が開放状態）を示す正面図
【図５】同ゴムボタン（接続部が開放状態）を示す側面図
【図６】同ゴムボタンにおける接続部が開放状態とされた第１ケース部材を示す斜視図
【図７】図４におけるＶＩＩ−ＶＩＩ線断面図
【図８】図５におけるＶＩＩＩ−ＶＩＩＩ線断面図
【図９】同ゴムボタンに接続される接続ライン及びコネクタを示す側面図
【図１０】図９におけるＸ−Ｘ線断面図
【図１１】同ゴムボタンにおける接続部が閉塞状態とされ、コネクタが係止された状態であって、ロック手段によるロックがなされていない状態を示す（ａ）正面図（ｂ）側面図
【図１２】図１１におけるＸＩＩ−ＸＩＩ線断面図
【図１３】同ゴムボタンにおける接続部が閉塞状態とされ、コネクタが係止された状態であって、ロック手段によるロックがなされた状態を示す（ａ）正面図（ｂ）側面図
【図１４】図１３におけるＸＩＶ−ＸＩＶ線断面図
【図１５】図１３におけるＸＶ−ＸＶ線断面図
【図１６】本発明の第２の実施形態に係るゴムボタン（接続部が閉塞状態）を示す３面図
【図１７】同ゴムボタン（接続部が閉塞状態）を示す斜視図
【図１８】同ゴムボタン（接続部が開放状態）を示す３面図
【図１９】同ゴムボタン（接続部が開放状態）を示す斜視図
【図２０】図１８におけるＸＸ−ＸＸ線断面図
【図２１】図１８におけるＸＸＩ−ＸＸＩ線断面図
【図２２】同ゴムボタンにおける接続部が閉塞状態とされ、コネクタが係止された状態であって、ロック手段によるロックがなされていない状態を示す（ａ）正面図（ｂ）側面図
【図２３】図２２におけるＸＸＩＩＩ−ＸＸＩＩＩ線断面図
【図２４】同ゴムボタンにおける接続部が閉塞状態とされ、コネクタが係止された状態であって、ロック手段によるロックがなされた状態を示す（ａ）正面図（ｂ）側面図
【図２５】図２４におけるＸＸＶ−ＸＸＶ線断面図
【図２６】図２４におけるＸＸＶＩ−ＸＸＶＩ線断面図
【発明を実施するための形態】
【００２４】
以下、本発明の実施形態について図面を参照しながら具体的に説明する。
第１の実施形態に係るゴムボタンは、患者の血液を体外循環させつつ浄化するための血液回路（流体の流通ライン）に接続され、当該血液回路内と連通可能なスリットが形成されたゴム材を有したもので、図１〜８に示すように、本ゴムボタンの筐体Ｆと、一対の接続部２ａ、２ｂとから主に構成されている。
【００２５】
筐体Ｆは、それぞれ樹脂製部材から成る第１ケース部材ｆ１、第２ケース部材ｆ２及び第３ケース部材ｆ３で構成されており、このうち第２ケース部材ｆ２及び第３ケース部材ｆ３によりゴム材１が保持されている。かかるゴム材１は、弾力を有して内部の流路を液密に保持し得るもので、略中央には、スリット１ａが形成されている。このスリット１ａを後述する接続ライン３のコネクタ４にて押し広げることにより、当該コネクタ４の先端部４ａを内部の流路に連通可能とされている。
【００２６】
また、第３ケース部材ｆ３には、ゴム材１の表面を外部に臨ませる孔ｆ３ａが形成されており、当該孔ｆ３ａを介してコネクタ４をゴム材１のスリット１ａに挿通可能とされている。第２ケース部材ｆ２の両端部には、流体の流通ラインを構成する血液回路αを接続可能な接続部ｆ２ａがそれぞれ形成されており、当該血液回路αを流れる血液等の液体が筐体Ｆ内の流路（特に第１ケース部材ｆ１と第２ケース部材ｆ２とで構成される流路）を流通し得るようになっている。
【００２７】
ここで、第１ケース部材ｆ１は、第２ケース部材ｆ２及び第３ケース部材ｆ３の外側を覆って連結されたもので、一対の接続部２ａ、２ｂが一体成形されている。すなわち、第１ケース部材ｆ１における接続部２ａ、２ｂとの境界部位には、他の部位より肉厚が小さい薄肉部ａが形成されており、かかる薄肉部ａにより接続部２ａ、２ｂが第１ケース部材ｆ１に対して折れ曲がって動作し得るようになっている。
【００２８】
本実施形態に係る接続部２ａ、２ｂは、筒状部材を半割りにした２つの部材で構成されており、それぞれが薄肉部ａを中心に折れ曲がって揺動自在とされたもので、図１〜３に示すように、互いに合致させることにより、ゴム材１の上部を筒状に覆った閉塞状態と、図４〜６に示すように、互いに離間させることにより、ゴム材１の上部を開放した開放状態とで任意切り換え可能とされている。これにより、接続部２ａ、２ｂが開放状態のとき、図７、８に示すように、ゴム材１の表面を外部に臨ませることが可能とされており、後述する接続ライン３の接続やゴム材１の表面の清掃（消毒）等が容易に行われるようになっている。
【００２９】
また、接続部２ａ、２ｂのそれぞれの内部には、当該接続部２ａ、２ｂが閉塞状態とされたとき、接続ライン３のコネクタ４に形成されたストッパ４ｂ（図９、１０参照）を係止して抜け止め可能な係止部ｇ（図１２、１４参照）が形成されている。すなわち、接続部２ａ、２ｂを合致させて閉塞状態とすることにより、ゴム材１のスリット１ａに挿通したコネクタ４を係止部ｇにて係止して抜け止め可能とされているのである。さらに、接続部２ａ、２ｂの外周面には、当該接続部２ａ、２ｂが閉塞状態とされたとき、後述するロック手段５の雌ネジ部５ａ（図１０、１４参照）と螺合可能な雄ネジ部２ａａ、２ｂａが形成されている。
【００３０】
一方、接続ライン３は、可撓性チューブから成るもので、ゴム材１のスリット１ａに挿通可能なコネクタ４（所謂「オスルアーコネクタ」と称されるもの）が先端に形成されており、当該コネクタ４をスリット１ａに挿通させて血液回路αを流れる血液等の流体を採取或いは投与すべく薬剤等の別個の流体を当該血液回路αに注入し得るものである。すなわち、接続ライン３は、図９、１０に示すように、先端に樹脂製のコネクタ４が取り付けられており、このコネクタ４をゴム材１のスリット１ａに挿通させることにより、本ゴムボタンに接続可能な構成とされている。
【００３１】
かかるコネクタ４の先端部４ａは、テーパ形状とされており、ゴム材１のスリット１ａに対する挿通を容易に行わせ得るようになっている。また、接続ライン３の先端部（すなわち、コネクタ４が形成された部位）には、コネクタ４の長手方向に移動自在とされたカップ状のロック手段５（所謂「ロックリング」と称されるもの）が取り付けられている。かかるロック手段５は、閉塞状態の接続部２ａ、２ｂを覆い得る（図１４参照）とともに内周面に雌ネジ部５ａが形成された樹脂製部品から成り、当該雌ネジ部５ａと接続部２ａ、２ｂに形成された雄ネジ部２ａａ、２ｂａとの螺合により、接続部２ａ、２ｂがロックされて当該接続部２ａ、２ｂの閉塞状態が強固に保持されるようになっている。
【００３２】
さらに、コネクタ４の所定部位には、外方に円環状に突出してロック手段５の抜け止めを図るためのストッパ部４ｂが形成されている。このストッパ部４ｂにより、ロック手段５が干渉してコネクタ４から抜け落ちてしまうのを防止し得るとともに、接続部２ａ、２ｂを閉塞状態とした際、ゴム材１のスリット１ａに挿通したコネクタ４のストッパ部４ｂを係止部ｇにて係止させることができ、これにより当該コネクタ４のゴム材１からの抜け止めを可能としている。なお、本実施形態に係るストッパ部４ｂは、円環状に突出したものとされているが、一部のみ外方に突出したもの或いは周方向に間欠的に外方に突出したもの等であってもよい。
【００３３】
次に、本実施形態に係るゴムボタンにおける接続ライン３との接続方法について説明する。
先ず、図４〜８に示すように、接続部２ａ、２ｂを開放状態としておくとともに、接続ライン３の先端に形成されたコネクタ４の先端部４ａをゴム材１のスリット１ａに挿通させる。その後、接続部２ａ、２ｂを閉塞状態に切り換えて、図１１、１２に示すように、コネクタ４を当該接続部２ａ、２ｂで囲む如く覆うようにする。このとき、図１２に示すように、コネクタ４のストッパ部４ｂを係止部ｇにて係止させておく。
【００３４】
そして、ロック手段５を下方に移動させ、図１３〜１５に示すように、当該ロック手段５の雌ネジ部５ａと接続部２ａ、２ｂに形成された雄ネジ部２ａａ、２ｂａとを螺合させる。これにより、接続部２ａ、２ｂがロック（閉塞状態から開放状態に移動するのを規制）されて当該接続部２ａ、２ｂの閉塞状態が強固に保持されることとなる。しかして、コネクタ４が強固に固定されることとなり、接続ライン３の接続状態を確実に維持させることができる。
【００３５】
一方、本ゴムボタンに対する接続ライン３の接続を解きたい場合は、雌ネジ部５ａと雄ネジ部２ａａ、２ｂａとの螺合を解きながらロック手段５を上方へ移動させ、接続部２ａ、２ｂのロックを解く。その後、接続部２ａ、２ｂを互いに離間させて開放状態として、コネクタ４のストッパ部４ｂと係止部ｇとの係止を解くとともに、当該コネクタ４をスリット１ａから引き抜き、ゴム材１から取り外す。これにより、接続ライン３を本ゴムボタンから取り外すことができ、その取り外された状態においては、接続部２ａ、２ｂが開放状態であるため、シリンジ等の先端をゴム材１に挿通させたり或いはゴム材１の表面の清掃（消毒）を容易に行わせることが可能とされている。
【００３６】
本実施形態によれば、接続部２ａ、２ｂは、筐体Ｆを構成する第１ケース部材ｆ１に一体成形され、閉塞状態と開放状態とで切り換え可能とされたので、筐体部Ｆと接続部２ａ、２ｂとを別個製造するものに比べ、製造工程を削減することができ、製造コストをより低減させることができる。なお、本実施形態においては、薄肉部ａを形成することにより接続部２ａ、２ｂの閉塞状態と開放状態との間の切り換えが可能とされているが、例えば間欠的なスリットや切欠き、ノッチ或いはヒンジ等を形成しておき、接続部２ａ、２ｂの閉塞状態と開放状態との間の切り換えを行わせるようにしてもよい。
【００３７】
次に、本発明の第２の実施形態について説明する。
本実施形態に係るゴムボタンは、第１の実施形態と同様、患者の血液を体外循環させつつ浄化するための血液回路（流体の流通ライン）に接続され、当該血液回路内と連通可能なスリットが形成されたゴム材を有したもので、図１６〜２１に示すように、本ゴムボタンの筐体Ｆ’と、一対の接続部７ａ、７ｂとから主に構成されている。なお、本ゴムボタンに接続するための接続ラインについては、第１の実施形態と同様（図９、１０参照）であるため、詳細な説明を省略する。
【００３８】
筐体Ｆ’は、それぞれ樹脂製部材から成る第１ケース部材ｆ４、第２ケース部材ｆ５で構成されており、これら第１ケース部材ｆ４及び第２ケース部材ｆ５によりゴム材６が保持されている。かかるゴム材６は、弾力を有して内部の流路を液密に保持し得るもので、第１の実施形態におけるゴム材１と同様、その略中央には、スリット６ａが形成されている。このスリット６ａを後述する接続ライン３のコネクタ４にて押し広げることにより、当該コネクタ４の先端部を内部の流路に連通可能とされている。
【００３９】
また、第２ケース部材ｆ５には、ゴム材６の表面を外部に臨ませる孔ｆ５ａが形成されており、当該孔ｆ５ａを介してコネクタ４をゴム材６のスリット６ａに挿通可能とされている。第１ケース部材ｆ４の両端部には、流体の流通ラインを構成する血液回路αを接続可能な接続部ｆ４ａがそれぞれ形成されており、当該血液回路αを流れる血液等の液体が筐体Ｆ’内の流路（第１ケース部材ｆ４と第２ケース部材ｆ５とで構成される流路）を流通し得るようになっている。
【００４０】
ここで、本実施形態においては、一対の接続部７ａ、７ｂが筐体Ｆ’を構成する第２ケース部材ｆ５とは別体として形成されるとともに、当該第２ケース部材ｆ５の所定部位に連結部ｂにて連結されて閉塞状態と開放状態とで切り換え可能とされている。すなわち、接続部７ａ、７ｂには、連結部ｂが延設されているとともに、当該連結部ｂの先端が第２ケース部材ｆ５の所定部位に固定（例えば、接着剤による接着、超音波や高周波ウェルダによる溶着、嵌め込み嵌合などにより固定）されて一対の接続部７ａ、７ｂが第２ケース部材と一体とされており、かかる連結部ｂにより接続部７ａ、７ｂが第２ケース部材ｆ５に対して動作し得るようになっている。
【００４１】
本実施形態に係る接続部７ａ、７ｂは、筒状部材を半割りにした２つの部材で構成されており、それぞれが連結部ｂを介して動作自在とされたもので、図１６、１７に示すように、互いに合致させることにより、ゴム材６の上部を筒状に覆った閉塞状態と、図１８〜２１に示すように、互いに離間させることにより、ゴム材６の上部を開放した開放状態とで任意切り換え可能とされている。これにより、接続部７ａ、７ｂが開放状態のとき、図２０、２１に示すように、ゴム材６の表面を外部に臨ませることが可能とされており、接続ライン３の接続やゴム材６の表面の清掃（消毒）等が容易に行われるようになっている。
【００４２】
また、接続部７ａ、７ｂのそれぞれの内部には、当該接続部７ａ、７ｂが閉塞状態とされたとき、接続ライン３のコネクタ４に形成されたストッパ４ｂ（図９、１０参照）を係止して抜け止め可能な係止部ｈ（図２３、２６参照）が形成されている。すなわち、接続部７ａ、７ｂを合致させて閉塞状態とすることにより、ゴム材６のスリット６ａに挿通したコネクタ４を係止部ｈにて係止して抜け止め可能とされているのである。さらに、接続部７ａ、７ｂの外周面には、当該接続部７ａ、７ｂが閉塞状態とされたとき、ロック手段５の雌ネジ部５ａ（図１０、２５参照）と螺合可能な雄ネジ部７ａａ、７ｂａが形成されている。
【００４３】
次に、本実施形態に係るゴムボタンにおける接続ライン３との接続方法について説明する。
先ず、図１８〜２１に示すように、接続部７ａ、７ｂを開放状態としておくとともに、接続ライン３の先端に形成されたコネクタ４の先端部４ａをゴム材６のスリット６ａに挿通させる。その後、接続部７ａ、７ｂを閉塞状態に切り換えて、図２２、２３に示すように、コネクタ４を当該接続部７ａ、７ｂで囲む如く覆うようにする。このとき、図２３に示すように、コネクタ４のストッパ部４ｂを係止部ｈにて係止させておく。
【００４４】
そして、ロック手段５を下方に移動させ、図２４〜２６に示すように、当該ロック手段５の雌ネジ部５ａと接続部７ａ、７ｂに形成された雄ネジ部７ａａ、７ｂａとを螺合させる。これにより、接続部７ａ、７ｂがロック（閉塞状態から開放状態に移動するのを規制）されて当該接続部７ａ、７ｂの閉塞状態が強固に保持されることとなる。しかして、コネクタ４が強固に固定されることとなり、接続ライン３の接続状態を確実に維持させることができる。
【００４５】
一方、本ゴムボタンに対する接続ライン３の接続を解きたい場合は、雌ネジ部５ａと雄ネジ部７ａａ、７ｂａとの螺合を解きながらロック手段５を上方へ移動させ、接続部７ａ、７ｂのロックを解く。その後、接続部７ａ、７ｂを互いに離間させて開放状態として、コネクタ４のストッパ部４ｂと係止部ｈとの係止を解くとともに、当該コネクタ４をスリット６ａから引き抜き、ゴム材６から取り外す。これにより、接続ライン３を本ゴムボタンから取り外すことができ、その取り外された状態においては、接続部７ａ、７ｂが開放状態であるため、シリンジ等の先端をゴム材６に挿通させたり或いはゴム材６の表面の清掃（消毒）を容易に行わせることが可能とされている。
【００４６】
本実施形態によれば、接続部７ａ、７ｂは、筐体Ｆ’を構成する第２ケース部材ｆ５とは別体として形成されるとともに、当該第２ケース部材ｆ５に連結部ｂを介して連結されて一体化され、閉塞状態と開放状態とで切り換え可能とされたので、筐体部Ｆ’と接続部７ａ、７ｂとの連結状態を種々設定することができ、接続部７ａ、７ｂの閉塞状態と開放状態との切り換えをより円滑に行わせるよう設定することができる。すなわち、連結部ｂの材質や寸法を種々変更することにより、筐体部Ｆ’と接続部７ａ、７ｂとの連結状態を任意に設定することができるのである。
【００４７】
上記第１の実施形態及び第２の実施形態によれば、ゴム材（１、６）の上部を筒状に覆った閉塞状態と当該ゴム材（１、６）の上部を開放した開放状態とで任意切り換え可能とされるとともに、当該閉塞状態でスリット（１ａ、６ａ）に挿通したコネクタ４を係止して抜け止め可能とされた接続部（２ａ、２ｂ）（７ａ、７ｂ）を具備したので、ゴム材（１、６）の表面の清掃（消毒）作業を容易に行わせることができるとともに、部品点数を削減して製造コストの低減及び管理の容易化を図ることができる。特に、本実施形態においては、接続部（２ａ、２ｂ）（７ａ、７ｂ）により、閉塞状態でスリット（１ａ、６ａ）に挿通したコネクタ４を係止して抜け止め可能とされたので、従来の如き別個にフロート等を必要とせず、部品点数を削減することができる。
【００４８】
また、接続ライン３の先端部（本実施形態においてはコネクタ４が形成された部位）には、閉塞状態の接続部（２ａ、２ｂ）（７ａ、７ｂ）を覆い得るとともに内周面に雌ネジ部５ａが形成されたロック手段５が取り付けられるとともに、接続部（２ａ、２ｂ）（７ａ、７ｂ）には、外周面に雌ネジ部５ａと螺合し得る雄ネジ部（２ａａ、２ｂａ）（７ａａ、７ｂａ）が形成され、当該雌ネジ部５ａと雄ネジ部（２ａａ、２ｂａ）（７ａａ、７ｂａ）との螺合により接続部（２ａ、２ｂ）（７ａ、７ｂ）がロックされて当該接続部（２ａ、２ｂ）（７ａ、７ｂ）の閉塞状態が保持されるので、より強固に接続部（２ａ、２ｂ）（７ａ、７ｂ）の閉塞状態を保持でき、且つ、コネクタ４を係止することができる。
【００４９】
さらに、コネクタ４には、外方に突出してロック手段５の抜け止めを図るためのストッパ部４ｂが形成されるとともに、接続部（２ａ、２ｂ）（７ａ、７ｂ）には、当該ストッパ部４ｂと係止可能な係止部（ｇ、ｈ）が形成されたので、当該ストッパ部材４ｂが、ロック手段５の抜け止め機能と接続部（２ａ、２ｂ）（７ａ、７ｂ）に対するコネクタ４の係止機能とを兼ね備えることができる。
【００５０】
また、接続部（２ａ、２ｂ）（７ａ、７ｂ）は、筒状部材を半割りにした２つの部位で構成され、当該２つの部位は、互いを合致させることにより閉塞状態となる位置と、互いを離間させて開放状態となる位置との間で揺動自在にケース部材（第１ケース部材ｆ１、第２ケース部材ｆ５）に接続されて成るので、接続部（２ａ、２ｂ）（７ａ、７ｂ）を備えたゴムボタンの構成を簡素化することができる。また更に、流通ラインは、患者の血液を体外循環させつつ浄化するための血液回路αから成ることから、一般に種々の採血作業や薬剤注入作業がなされる血液回路αに本ゴムボタンを接続したので、ゴム材（１、６）の表面の清掃（消毒）作業を容易に行わせることにより複数回に分けて採血作業や薬剤注入作業が可能になる。
【００５１】
以上、本実施形態について説明したが、本発明はこれらに限定されず、例えば接続部を３つ以上の部材から成るものとし、それらを互いに合致させることによりゴム材の上部を筒状に覆った閉塞状態とされるとともに、それら互いに離間させることによりゴム材の上部を開放した開放状態とし得るものとしてもよい。また、閉塞状態でゴム材のスリットに挿通したコネクタを係止して抜け止め可能とされた接続部を具備したものであれば、当該閉塞状態の接続部をロックする手段がロック手段５とは構成上相違するものとしてもよい。
【００５２】
さらに、ゴムボタンの形状や部品は、本実施形態にものに限定されず、種々形態のもの（例えば、スリットやキャップの形状が異なるもの等）に適用することができる。また更に、本実施形態に適用されるゴムボタンは、患者の血液を体外循環させつつ浄化するための血液回路に接続されているが、他の流体の流路（輸液ライン等）に接続されたゴムボタンとすることもできる。
【産業上の利用可能性】
【００５３】
ゴム材の上部を筒状に覆った閉塞状態と当該ゴム材の上部を開放した開放状態とで任意切り換え可能とされるとともに、当該閉塞状態でスリットに挿通したコネクタを係止して抜け止め可能とされた接続部を具備したゴムボタンであれば、外観形状が異なるもの或いは他の機能が付加されたもの等にも適用することができる。
【符号の説明】
【００５４】
１  ゴム材
１ａ  スリット
２ａ、２ｂ  接続部
２ａａ、２ｂａ  雄ネジ部
３  接続ライン
４  コネクタ
４ｂ  ストッパ部
５  ロック手段
５ａ  雌ネジ部
６  ゴム材
６ａ  スリット
７ａ、７ｂ  接続部
７ａａ、７ｂａ  雄ネジ部
ｇ、ｈ  係止部
Ｆ、Ｆ’  筐体
【図１】
2012254204.tif 000003
【図２】
2012254204.tif 000004
【図３】
2012254204.tif 000005
【図４】
2012254204.tif 000006
【図５】
2012254204.tif 000007
【図６】
2012254204.tif 000008
【図７】
2012254204.tif 000009
【図８】
2012254204.tif 000010
【図９】
2012254204.tif 000011
【図１０】
2012254204.tif 000012
【図１１】
2012254204.tif 000013
【図１２】
2012254204.tif 000014
【図１３】
2012254204.tif 000015
【図１４】
2012254204.tif 000016
【図１５】
2012254204.tif 000017
【図１６】
2012254204.tif 000018
【図１７】
2012254204.tif 000019
【図１８】
2012254204.tif 000020
【図１９】
2012254204.tif 000021
【図２０】
2012254204.tif 000022
【図２１】
2012254204.tif 000023
【図２２】
2012254204.tif 000024
【図２３】
2012254204.tif 000025
【図２４】
2012254204.tif 000026
【図２５】
2012254204.tif 000027
【図２６】
2012254204.tif 000028